(57)【要約】  油を浄化する方法及びシステムであって、方法は、−少なくとも１つの沈殿タンクに分離補助剤と浄化される油を供給するステップと、−沈殿タンクの底部にスラッジ相が沈殿することを待つステップであって、スラッジ相は、油からの不純物とともに分離補助剤を含む待つステップと、−少なくとも１つの沈殿タンクからのスラッジ相を含まない油相を取り出すステップと、−残る可能性のある全ての分離補助剤と不純物を取り除くためにデプスフィルタで油相をろ過するステップと、を備える。
2020517802.tif 000002
【特許請求の範囲】
【請求項１】
油を浄化する方法であって、
前記方法は、
−少なくとも１つの沈殿タンク（２１；１２１ａ、１２１ｂ、１２１ｃ）に分離補助剤と浄化される油を供給するステップと、
−前記沈殿タンク（２１；１２１ａ、１２１ｂ、１２１ｃ）の底部（３７）にスラッジ相が沈殿することを待つステップであって、前記スラッジ相は、油からの不純物とともに前記分離補助剤を含む、待つステップと、
−少なくとも１つの前記沈殿タンクから前記スラッジ相を含まない油相を取り出すステップと、
−残っている可能性のある分離補助剤と不純物を取り除くために、デプスフィルタで前記油相をろ過するステップと、を備える、方法。
【請求項２】
前記ろ過するステップは、前記油相の一部へセルロース繊維粉末を加え、デプスフィルタを作り上げるためにキャリア層上で前記油相の前記一部を循環するステップによって実行され、
前記油相の残った部分は、その後前記デプスフィルタでろ過される、請求項１に記載の方法。
【請求項３】
さらに前記沈殿タンク（２１；１２１ａ、１２１ｂ、１２１ｃ）に供給された時、前記油と分離緒補助剤を混合し、暖めるステップを備える、請求項１または２に記載の方法。
【請求項４】
さらに前記沈殿タンクの少なくとも１つの位置で、前記沈殿タンク（２１；１２１ａ、１２１ｂ、１２１ｃ）の内容物の温度を測定するステップと、前記測定された少なくとも１つの温度に依存して前記沈殿タンクの内容物を暖めるステップを制御するステップと、を備える請求項３に記載の方法。
【請求項５】
さらにろ過するステップの前に、加熱タンク（４７）で前記沈殿タンクから取り出された前記油相を暖めるステップと、を備える、請求項１乃至４のいずれか１項に記載の方法。
【請求項６】
さらに前記タンクに設けられた少なくとも１つの内容物検知センサ（５５ａ、５５ｂ、５５ｃ、１５５ａ、１５５ｂ、１５５ｃ）によって前記沈殿タンクの少なくとも１つの位置で油相またはスラッジ相の存在を検知するステップと、
前記検知に依存して前記油相を取り出すステップを制御するステップであって、前記制御するステップは、前記システムのセンサ、ポンプ及びバルブに接続された制御システム（３１；１３１）によって実行される、制御するステップと、を備える、請求項１乃至５のいずれか１項に記載の方法。
【請求項７】
前記検知するステップは、油相排出口（３９ａ、３９ｂ、１３９ａ、１３９ｂ、１３９ｃ）が設けられる前記沈殿タンクの実質的なレベルにおいて、油相またはスラッジ相があるかどうかを検知するステップを備える、請求項６に記載の方法。
【請求項８】
さらに浄化される汚染された油の別のバッチが前記沈殿タンクに供給される前に、前記沈殿タンク（２１；１２１ａ、１２１ｂ、１２１ｃ）から前記スラッジ相の少なくとも一部を取り除くステップを備える、請求項１乃至７のいずれか１項に記載の方法。
【請求項９】
前記沈殿タンクで実行された前の浄化サイクルで前記沈殿タンク（２１；１２１ａ、１２１ｂ、１２１ｃ）の底部（３７）に沈殿された前記スラッジ相の少なくとも一部は、浄化される油が前記沈殿タンクに供給される次の浄化サイクルで再利用され、それによって前記スラッジ相は、前の浄化サイクルから取り除かれる前記スラッジ相で取り除かれた分離補助剤の量に対応する新しい分離補助剤の量とともに、場合によっては前記沈殿タンクに供給される混合装置（３３）によって、新しく供給される油に混合される、請求項１乃至８のいずれか１項に記載の方法。
【請求項１０】
前記方法は、さらに少なくとも１つのスラッジ相排出口（４１ａ、４１ｂ；１４１ａ、１４１ｂ、１４１ｃ）を使って、前記沈殿タンク（２１；１２１ａ、１２１ｂ、１２１ｃ）からのスラッジ相の除去を制御しながら、前記沈殿タンクの油相排出口（３９ａ；１３９ａ、１３９ｂ、１３９ｃ）と実質的に同じレベルで提供される内容物検知センサ（５５ｂ；１５５ａ、１５５ｂ、１５５ｃ）からの出力をモニタするステップと、前のスラッジ相の代わりに油相が前記油相排出口のレベルに供給されたことを前記内容物検知センサからの出力が示すとき、スラッジ相の除去を止めるステップと、を備える、請求項１乃至９のいずれか１項に記載の方法。
【請求項１１】
１つの沈殿タンク（１２１ａ、１２１ｂ、１２１ｃ）に浄化される油を供給しつつ、前記浄化プロセスの前のサイクルで浄化される油が供給された別の沈殿タンク（１２１ａ、１２１ｂ、１２１ｃ）から油相を取り出し、ろ過しつつ、場合によっては前記浄化プロセスの前のサイクルで浄化される油がすでに供給されていた第３の沈殿タンク（１２１ａ、１２１ｂ、１２１ｃ）の底部にスラッジ相が沈殿するステップを備える、請求項１乃至１０のいずれか１項に記載の方法。
【請求項１２】
さらに、システムから出入りする油の連続流れが提供されるように循環する、システムに提供される少なくとも２つの沈殿タンク（１２１ａ、１２１ｂ、１２１ｃ）に浄化される油の供給と、少なくとも２つの沈殿タンク（１２１ａ、１２１ｂ、１２１ｃ）から浄化された油相の取り出しを制御するステップであって、前記制御するステップは、システムのセンサ、バルブ及びポンプに接続されるシステムに提供される制御システム（１３１）によって提供される、制御するステップを備える、請求項１乃至１１のいずれか１項に記載の方法。
【請求項１３】
油を浄化するシステム（１；１０１）であって、
前記システムは、
−浄化される油を備える少なくとも１つの供給タンク（３）と、
−分離補助剤投与装置（１３）と、
−浄化される油を受け入れるための少なくとも１つの供給タンク（３）及び分離補助剤を受け入れるための前記分離補助剤投与装置（１３）に接続される少なくとも１つの注入口（２３；１２３ａ、１２３ｂ、１２３ｃ）を備える少なくとも１つの沈殿タンク（２１；１２１ａ、１２１ｂ、１２１ｃ）であって、前記沈殿タンク（２１；１２１ａ、１２１ｂ、１２１ｃ）は、さらに前記沈殿タンクの底部（３７）へスラッジ相を沈殿した後、前記沈殿タンクから油相を取り出すための少なくとも１つの油相排出口（３９ａ、３９ｂ；１３９ａ、１３９ｂ、１３９ｃ）を備え、前記スラッジ相は、前記油からの不純物とともに分離補助剤を含む、沈殿タンクと、
−少なくとも１つの前記沈殿タンク（２１；１２１ａ、１２１ｂ、１２１ｃ）の少なくとも１つの前記油相排出口（３９ａ、３９ｂ；１３９ａ、１３９ｂ、１３９ｃ）に接続されたフィルタモジュール（５１）であって、前記フィルタモジュール（５１）は、デプスフィルタを備える、フィルタモジュールと、を備えるシステム。
【請求項１４】
デプスフィルタは、フィルタ媒体のバルク構造内の不純物を保持することができるフィルタである、請求項１３に記載のシステム。
【請求項１５】
前記フィルタモジュール（５１）は、前記油相の一部にセルロース繊維粉末を加え、前記デプスフィルタを作り上げるためにキャリア層上で前記油相の前記一部を循環するように構成され、
前記フィルタモジュール（５１）は、さらに前記デプスフィルタによって前記油相の残った部分をろ過するように構成されている、請求項１３または１４に記載のシステム。
【請求項１６】
前記システムは、さらに、
−前記システムのセンサ、ポンプ及びバルブに接続され、あらかじめ定義された設定及びセンサ信号、場合によってはユーザ入力にも依存するシステムの流れを制御するように構成された制御システム（３１；１３１）
を備える、請求項１３乃至１５のいずれか１項に記載のシステム。
【請求項１７】
少なくとも１つの沈殿タンク（２１；１２１ａ、１２１ｂ、１２１ｃ）は、さらに前記沈殿タンクの少なくとも１つの位置で、油相またはスラッジ相の存在を検知するための少なくとも１つの内容物検知センサ（５５ａ、５５ｂ、５５ｃ；１５５ａ、１５５ｂ、１５５ｃ）を備え、
前記制御システム（３１；１３１）は、前記検知に依存して前記沈殿タンクから前記油相を取り出すことを制御するように構成される、請求項１６に記載のシステム。
【請求項１８】
前記沈殿タンク（２１；１２１ａ、１２１ｂ、１２１ｃ）は、前記沈殿タンクの油相排出口（３９ａ；１３９ａ、１３９ｂ、１３９ｃ）と、前記沈殿タンクの実質的に同じレベルに提供される内容物検知センサ（５５ｂ；１５５ａ、１５５ｂ、１５５ｃ）を備え、
前記内容物検知センサ（５５ｂ；１５５ａ、１５５ｂ、１５５ｃ）は、前記沈殿タンクのこのレベルにおいて油相またはスラッジ相があるかどうかを検知するように構成される、請求項１３乃至１７のいずれか１項に記載のシステム。
【請求項１９】
さらに、少なくとも１つの前記沈殿タンク（２１；１２１ａ、１２１ｂ、１２１ｃ）の底部（３７）の少なくとも１つのスラッジ除去排出口（４１ａ、４１ｂ；１４１ａ、１４１ｂ、１４１ｃ）と接続され、前記沈殿タンクからスラッジ相を受け入れるように構成された少なくとも１つのスラッジタンク（４３；１４３ａ、１４３ｂ、１４３ｃ）を備える、請求項１３乃至１８のいずれか１項に記載のシステム。
【請求項２０】
前記沈殿タンク（２１）は、前記沈殿タンクの底部（３７）の異なるレベルで提供された少なくとも２つのスラッジ除去排出口（４１ａ、４１ｂ）を備え、両方とも少なくとも１つのスラッジタンク（４３）と接続される、請求項１９に記載のシステム。
【請求項２１】
少なくとも１つの前記沈殿タンク（２１；１２１ａ、１２１ｂ、１２１ｃ）は、さらに混合装置（３３）、少なくとも１つの温度センサ（５７ａ、５７ｂ）及び少なくとも１つの前記温度センサによって測定された温度に依存して、前記沈殿タンクの内容物を加熱するように構成された少なくとも１つの加熱装置（３５）を備える、請求項１３乃至２０のいずれか１項に記載のシステム。
【請求項２２】
前記システムは、さらに少なくとも１つの前記沈殿タンク（２１）の少なくとも１つの油相排出口（３９ａ、３９ｂ）と前記フィルタモジュール（５１）の間に提供される加熱タンク（４７）を備える、請求項１３乃至２１のいずれか１項に記載のシステム。
【請求項２３】
少なくとも１つの前記スラッジ相排出口（４１ａ、４１ｂ、１４１ａ、１４１ｂ、１４１ｃ）を使って、前記沈殿タンク（２１；１２１ａ、１２１ｂ、１２１ｃ）からスラッジ相の除去を制御しながら、前記沈殿タンクの油相排出口（３９ａ；１３９ａ、１３９ｂ、１３９ｃ）と実質的に同じレベルに提供される内容物検知センサ（５５ｂ；１５５ａ、１５５ｂ、１５５ｃ）からの出力をモニタし、前のスラッジ相の代わりに油相が前記油相排出口（３９ａ；１３９ａ、１３９ｂ、１３９ｃ）のレベルに供給されたことを前記内容物検知センサ（５５ｂ；１５５ａ、１５５ｂ、１５５ｃ）からの出力が示すとき、スラッジ相の除去を止めるように、システム（１；１０１）に提供される制御システム（３１；１３１）が、構成される請求項１３乃至２２のいずれか１項に記載のシステム。
【請求項２４】
さらに前記システム（１０１）に平行に接続された少なくとも２つの沈殿タンク（１２１ａ、１２１ｂ、１２１ｃ）を備える、請求項１３乃至２３のいずれか１項に記載のシステム。
【請求項２５】
前記システム（１０１）のセンサ、ポンプ及びバルブと接続され、１つの沈殿タンクは浄化される油を受け入れつつ、前記油相は、別の沈殿タンクから取り出されつつ、場合によっては前記沈殿プロセスは、第３の沈殿タンクで起こるように、少なくとも２つの前記沈殿タンク（１２１ａ、１２１ｂ、１２１ｃ）に浄化される油を供給することと、少なくとも２つの前記沈殿タンクから油相を取り出すことを制御するように構成された、制御システム（１３１）を、前記システムは、備える、請求項２４に記載のシステム。
【請求項２６】
油の浄化のためのシステム（１；１０１）の制御システム（３１；１３１）のプロセッサ（３２；１３２）で実行されたとき、制御システム（３１；１３１）に、請求項１乃至１２のいずれかに記載の方法を実行させる、指示を含むコンピュータプログラム生産物。
【発明の詳細な説明】
【技術分野】
【０００１】
本発明は、油の浄化のための方法とシステムに関する。
【背景技術】
【０００２】
例えば、鉱物油、工業油、加工油または油圧油などの汚染された油の浄化は、油を再利用する可能性にとって重要であり、それゆえ環境未来及び限られた自然の油の資源にとって重要な要因である。汚染された油は、液体２層分離プロセスによって浄化され、または回復され、液体分離補助剤は、油に加えられ、それと混合される。不純物は、分離補助剤によって捕らえられ、底層に堆積するであろう。さらに、汚染された油の浄化プロセスを改善する必要がある。
【発明の概要】
【０００３】
油の浄化のための改善された方法とシステムを提供することが本発明の目的である。
【０００４】
これは、独立請求項による方法、システム及びコンピュータプログラムで達成される。
【０００５】
これによって沈殿後、油相をろ過することによって、油の残る可能性のある分離補助剤及び不純物を取り除くことができ、油の改善された浄化が達成される。
【０００６】
本発明の１つの態様において、油の浄化のための方法が提供される。
前記方法は、
−少なくとも１つの沈殿タンクに分離補助剤と浄化される油を供給するステップと、
−沈殿タンクの底部にスラッジ相が沈殿することを待つステップであって、前記スラッジ相は、油からの不純物とともに分離補助剤を含む、待つステップと、
−少なくとも１つの沈殿タンクから前記スラッジ相を含まない油相を取り出すステップと、
残っている可能性のある分離補助剤と不純物を取り除くために、デプスフィルタで前記油相をろ過するステップと、を備える。
【０００７】
本発明の別の態様において、油の浄化のためのシステムが提供される。
前記システムは、
−浄化される油を備える少なくとも１つの供給タンクと、
−分離補助剤投与装置と、
−浄化される油を受け入れるための少なくとも１つの供給タンク及び分離補助剤を受け入れるための分離補助剤投与装置に接続される少なくとも１つの注入口を備える少なくとも１つの沈殿タンクであって、前記沈殿タンクは、さらに沈殿タンクの底部へのスラッジ相の沈殿の後、沈殿タンクから油相を取り出すための少なくとも１つの油相排出口を備え、前記スラッジ相は、油からの不純物とともに分離補助剤を含む、沈殿タンクと、
−少なくとも１つの沈殿タンクの油相排出口に接続されたフィルタモジュールであって、前記フィルタモジュールは、デプスフィルタを備える、フィルタモジュールと、を備える。
【０００８】
本発明のさらに別の態様において、コンピュータプログラム生産物が提供される。前記コンピュータプログラムは、油の浄化のためのシステムの制御システムのプロセッサで実行されたとき、制御システムに、本発明による方法を実行させる、指示を含む。
【０００９】
これによって、また油の非常に小さな不純物粒子は、油相から効果的に除去されることができる。デプスフィルタとデプスフィルタで捕らえられるであろう残る全ての分離補助剤の組み合わせは、小さな不純物粒子を除去する効率を改善する。デプスフィルタは、表面でろ過するのみの従来の薄層表面フィルタと対比して、フィルタ媒体のバルク構造内に不純物を保持できるフィルタである。デプスフィルタは、残る全ての分離補助剤及び汚染物を吸収し、吸収された分離補助剤は、また油から小さな汚染物粒子を捕らえることもでき、これによってフィルタの効率を改善する。
【００１０】
本発明の１つの実施形態において、前記ろ過するステップは、前記油相の一部へセルロース繊維粉末を加え、またフィルタケーキとも呼ばれる、デプスフィルタ、を作り上げるためにキャリア層上で前記油相の前記一部を循環するステップによって実行され、油相の残った部分は、その後デプスフィルタでろ過される。前記フィルタモジュールは、またそのようなタイプのろ過をするように構成される。これによって、非常に効果的で、柔軟で、容易で、コスト効率のよいデプスろ過が達成される。デプスフィルタは、浄化する油のバッチの間で変えることが容易であり、このタイプのデプスフィルタは、小さな粒子の除去が非常に効果的である。さらに、プロセスの自動化は容易にフィルタケーキを作り上げること及びフィルタの変更の両方を達成する。さらに、大きさ、すなわちデプスフィルタの深さは、非常に容易に、まさに加えられたセルロース繊維粉末の量に適応することによってケースごとに変更できる。
【００１１】
本発明の１つの実施形態において、方法は、さらに沈殿タンクに供給されたときに、油と分離補助剤を混合し、暖めるステップを備える。
【００１２】
本発明の１つの実施形態において、少なくとも１つの沈殿タンクは、さらに混合装置、少なくとも１つの温度センサ及び少なくとも１つの温度センサによって測定された温度に依存して、沈殿タンクの内容物を加熱するように構成された少なくとも１つの加熱装置を備える。
【００１３】
これによって分離効果は改善される。
【００１４】
本発明の１つの実施形態において、本発明の方法は、さらに沈殿タンクの少なくとも１つの位置で、沈殿タンクの内容物の温度を測定するステップと、前記測定された少なくとも１つの温度に依存して沈殿タンクの内容物を暖めるステップを制御するステップと、を備える。
【００１５】
本発明の１つの実施形態において、本発明の方法は、さらにろ過するステップの前に、加熱タンクで沈殿タンクから取り出された油相を暖めるステップと、を備える。これによってろ過はさらに効果がある。
【００１６】
本発明の１つの実施形態において、本発明の方法は、さらにタンクに設けられた少なくとも１つの内容物検知センサによって沈殿タンクの少なくとも１つの位置で油相またはスラッジ相の存在を検知するステップと、前記検知に依存して油相を取り出すステップを制御するステップであって、前記制御するステップは、システムのセンサ、ポンプ及びバルブに接続された制御システムによって実行される、制御するステップと、を備える。これによって、油相のみが油相排出口を使って取り出されることを確実にできる。
【００１７】
本発明の１つの実施形態において、検知するステップは、油相排出口が設けられる沈殿タンクの実質的なレベルにおいて、油相またはスラッジ相があるかどうかを検知するステップを備える。
【００１８】
本発明の１つの実施形態において、本発明の方法は、さらに浄化される汚染された油の別のバッチが沈殿タンクに供給される前に、沈殿タンクからスラッジ相の少なくとも一部を取り除くステップを備える。
【００１９】
本発明の１つの実施形態において、沈殿タンクで実行された前の浄化サイクルで沈殿タンクの底部に沈殿されたスラッジ相の少なくとも一部は、浄化される油が沈殿タンクに供給される次の浄化サイクルで再利用され、それによってスラッジ相は、前の浄化サイクルから取り除かれるスラッジ相で取り除かれた分離補助剤の量に対応する新しい分離補助剤の量とともに、場合によっては前記沈殿タンクに提供される混合装置によって、新しく供給される油に混合される。分離補助剤を再利用することは経済的利益があり、これによって大量の分離補助剤は、それぞれの洗浄サイクルで用いられることができる。これは、浄化効率を改善するであろう。
【００２０】
本発明の１つの実施形態において、本発明の方法は、さらに沈殿タンクの油相排出口と実質的に同じレベルで提供される内容物検知センサからの出力をモニタしながら、少なくとも１つのスラッジ相排出口を使って、沈殿タンクからスラッジ相の除去を制御するステップと、前のスラッジ相の代わりに油相が油相排出口のレベルに提供されたことを内容物検知センサからの出力が示すとき、スラッジ相の除去を止めるステップと、を備える。これにより、油相とスラッジ相の間の相間の位置は、制御され、油相のみが、沈殿タンクから油相排出口を使って、取り出されることを確実にできる。
【００２１】
本発明の１つの実施形態において、本発明の方法は、さらに１つの沈殿タンクに浄化される油を供給しつつ、浄化プロセスの前のサイクルで浄化される油が供給された別の沈殿タンクから油相を取り出し、ろ過しつつ、場合によっては浄化プロセスの前のサイクルで浄化される油がすでに供給されていた第３の沈殿タンクの底部にスラッジ相が沈殿するステップを備える。
【００２２】
本発明の１つの実施形態において、本発明の方法は、さらにシステムから出入りする油の連続流れが提供されるように循環する、システムに提供される少なくとも２つの沈殿タンクに浄化される油の供給と、少なくとも２つの沈殿タンクから浄化された油相の取り出しを制御するステップであって、前記制御するステップは、システムのセンサ、バルブ及びポンプに接続されるシステムに提供される制御システムによって提供される、制御するステップを備える。
【００２３】
これによって、浄化される油は、連続してシステムに供給され、浄化された油相は、連続してシステムから取り出されることができる。これによって、システムは、油の連続浄化のためのオンラインシステムとして用いられることができる。
【００２４】
本発明の１つの実施形態において、前記システムは、さらに
−システムのセンサ、ポンプ及びバルブに接続され、あらかじめ定義された設定及びセンサ信号、場合によってはユーザ入力にも依存するシステムの流れを制御するように構成された制御システム
を備える。
【００２５】
本発明の１つの実施形態において、少なくとも１つの沈殿タンクは、さらに沈殿タンクの少なくとも１つの位置で、油相またはスラッジ相の存在を検知するための少なくとも１つの内容物検知センサを備え、前記制御システムは、前記検知に依存して沈殿タンクから油相を取り出すことを制御するように構成される。
【００２６】
本発明の１つの実施形態において、前記沈殿タンクは、沈殿タンクの油相排出口と、沈殿タンクの実質的に同じレベルに提供される内容物検知センサを備え、前記内容物検知センサは、沈殿タンクのこのレベルにおいて油相またはスラッジ相があるかどうかを検知するように構成される。これによって、油相のみが油相排出口を使って取り出されることを確実にできる。
【００２７】
本発明の１つの実施形態において、システムは、さらに少なくとも１つの沈殿タンクの底部の少なくとも１つのスラッジ除去排出口と接続され、沈殿タンクからスラッジ相を受け入れるように構成された少なくとも１つのスラッジタンクを備える。
【００２８】
本発明の１つの実施形態において、沈殿タンクは、沈殿タンクの底部の異なるレベルで提供され、少なくとも２つのスラッジ除去排出口を備え、両方とも少なくとも１つのスラッジタンクと接続される。これによって、ユーザは、取り除きたいスラッジ相の部分と再使用のためにタンクに保持したい部分を選択できる。例えば、スラッジ相の最も低い底部が再使用のために保持されることができる。これによって、スラッジ相の重い部分は、再使用のためにタンクに保持され、スラッジ相の軽い部分は、取り除かれることができる。
【００２９】
本発明の１つの実施形態において、システムは、さらに少なくとも１つの沈殿タンクの油相排出口とフィルタモジュールの間に提供される加熱タンクを備える。
【００３０】
本発明の１つの実施形態において、沈殿タンクの油相排出口と実質的に同じレベルに提供される内容物検知センサからの出力をモニタしながら、少なくとも１つのスラッジ相排出口を使って、沈殿タンクからスラッジ相の除去を制御し、前のスラッジ相の代わりに油相が油相排出口のレベルに供給されたことをセンサからの出力が示すとき、スラッジ相の除去を止めるようにシステムに提供された制御システムが、構成される。
【００３１】
本発明の１つの実施形態において、システムは、さらにシステムに平行に接続された少なくとも２つの沈殿タンクを備える。
【００３２】
本発明の１つの実施形態において、システムのセンサ、ポンプ及びバルブと接続され、１つの沈殿タンクは浄化される油を受け入れつつ、油相は、別の沈殿タンクから取り出されつつ、場合によっては沈殿プロセスは、第３の沈殿タンクで起こるように、少なくとも２つの沈殿タンクに浄化される油を供給することと、少なくとも２つの沈殿タンクから油相を取り出すことを制御するように構成された制御システムを、システムは、備える。
【図面の簡単な説明】
【００３３】
【図１】本発明の1つの実施形態による油の浄化のためのシステムを概略的に示す。
【図２】３つの平行な沈殿タンクを備える本発明の別の実施形態による油の浄化のためのシステムを概略的に示す。
【図３】本発明の１つの実施形態による方法のフローチャートである。
【発明を実施するための形態】
【００３４】
図１は、本発明の１つの実施形態による油の浄化のためのシステム１を概略的に示す。システム１は、浄化される油を備える供給タンク３を備える。システム１は、同じように２以上の供給タンク３を備えることができる。供給タンク３は、加熱装置５を備えることができるが、これは必須ではない。供給タンク３は、例えば、供給タンク３の内容物があるレベルに到達したとき、供給タンクへの注入口を閉じ、及び／または警告を始めるレベルスイッチ７など、ここで示されるように、異なるセンサも任意に備えることができる。供給タンク３に任意に提供されることができる他のセンサは、１以上のレベルで、供給タンクの内容物の温度を測定する、１以上の温度センサ９、及び油が供給された供給タンクのレベルを検知することができるレベルセンサ１１である。システム１は、さらに分離補助剤タンク１５及び分離補助剤ポンプ１７を備える、分離補助剤投与装置１３を備える。汚染された油の不純物を捕らえるための、化学ブースタとも呼ばれる、分離補助剤の使用は、上で議論されたように、前に記載されている。液体分離補助剤は、油に加えられ、そこに混合され、油の不純物は、分離補助剤によって捕らえられ、底相に堆積するであろう。
【００３５】
分離補助剤は、化学的相互作用によって、汚染目標油の汚染する固体、または溶解した不純物を吸収するであろう。分離補助剤は、プロセスが実行される温度で液体であるべきである。分離補助剤組成物は、実質的に汚染目標油に不溶性であり、汚染された油を混合する際に２相混合物を形成するべきである。液体分離補助剤は、また浄化される汚染油の密度と異なる密度を有するべきである。
【００３６】
分離補助剤は、その極性特性のため汚染目標油に溶けず、そのため液体分離補助剤組成物の小さな滴からなるコロイドは、攪拌によって形成され、化学的相互作用（親水性、疎水性及び電荷相互作用）によって、汚染目標油の望まれない固体または溶解した不純物を吸収する。分離補助剤が油より高い密度を有する場合において、分離補助剤は、重力分離において、固体及び／または溶解した不純物とともに下相を形成する。分離補助剤が汚染目標油より低密度を有する場合において、重力分離で上層を形成するであろう。
【００３７】
本発明の使用のための液体分離補助剤は、一般に次の要素ａ）極性ポリマ；ｂ）ハイドロトロープ／可溶化剤；及びｃ）共界面活性剤に基づいて、作り上げられる。
【００３８】
本発明のプロセスで使用できる上記記載された特性を有する適切な分離補助剤は、例えば分離補助剤の固体または溶解した不純物の溶解度を高める能力を備えた、非イオン性、アニオン性、カチオン性及び両性特性を備える有機界面活性成分、ポリエチレングリコール、ポリプロピレングリコールまたは同様なポリアルキレングリコール、など極性ポリマの混合物を備える組成物からなる。
【００３９】
本発明で使用されることができる分離補助剤の１つの例は、ａ）例えばＣａｒｂｏｗａｘ  ＰＥＧ  ２００（Ｄｏｗ  Ｃｈｅｍｉｃａｌ社）などの１９０−２１０ｇ／ｍｏｌｅの平均分子量を有するポリエチレングリコールなどの、油に溶けず、油より密度の高い少なくとも１つの極性ポリマ、ｂ）例えば、Ｓｉｍｕｌｓｏｌ  ＳＬ  ４、Ｓｉｍｕｌｓｏｌ  ＳＬ  ７Ｇ及びＳｉｍｕｌｓｏｌ  ＡＳ  ４８（Ｓｅｐｐｉｃ、Ａｉｒ  Ｌｉｑｕｉｄｅ  ｇｒｏｕｐ）などの、例えば、アニオンスルホン酸、リン酸塩エステルベースの物質またはポリグリコシド族からの非イオン性界面活性剤などの、少なくとも１つの界面活性ハイドロトロープ／可溶化剤、ｃ）例えば、カプリリミノジプロピオン酸ナトリウムである、Ａｍｐｈｏｌａｋ  ＹＪＨ−４０  （Ａｋｚｏ  Ｎｏｂｅｌ）などの、例えばプロピオン酸型などの、少なくとも１つの両性共界面活性剤を備える。
【００４０】
本発明のシステム１は、さらに少なくとも１つの沈殿タンク２１を備える。本発明のこの実施形態において、１つの沈殿タンク２１は、システムに提供される。沈殿タンク２１は、少なくとも１つの流体接続２５によって供給タンク３と分離補助剤投与装置１３に接続された少なくとも１つの注入口２３を備える。代わりに、分離注入口と、沈殿タンク２１の浄化される油及び分離補助剤の流体接続が、提供されることもできる。ポンプ２７は、適切に沈殿タンク２１に油と分離補助剤をポンプするための流体接続２５に設けられてもよい。１以上のバルブ２９は、また沈殿タンク２１に流体流れの制御ができる流体接続２５に設けられることができる。制御システム３１は、またシステム１のこの実施形態に設けられる。制御システム３１は、システムの制御ができるようにシステムのポンプ、バルブ及びセンサに接続される。制御システム３１及びシステムの全てのポンプ、バルブ及びセンサの間の接続は、示されない。それらは、まさに制御システム３１からの２つの点線によって描かれる。接続は、有線接続または無線接続の両方でできる。制御システムのさらなる詳細は、以下でなされるであろう。
【００４１】
浄化されるオイルと分離補助剤は、本発明の方法により、沈殿タンク２１に供給タンク３から及び分離補助剤投与装置１３から提供される。本発明のこの実施形態において、油と分離補助剤は、沈殿タンク２１に提供される混合装置３３によって混合され、沈殿タンク２１の内容物は、また沈殿タンク２１の加熱装置３５によって加熱されることもできる。加熱装置３５は、例えば、タンクの内側または外側に提供される熱水管の形態であることができる。分離補助剤は、オイルの不純物を捕らえ、沈殿タンク２１の底部３７に沈むスラッジ相と呼ばれる不純物とともに相を形成する。これによって、重力沈殿によって、２つの相は、しばらくの後、１つの油相と１つのスラッジ相が沈殿タンク２１に形成される。加熱装置３５によって、沈殿タンクの内容物を暖めることは、分離効率を改善する。
【００４２】
沈殿タンク２１は、さらに沈殿タンク２１の底部３７にスラッジ相が沈殿した後、沈殿タンク２１から油相を取り出すための少なくとも１つの油相排出口３９を備える。本発明の１つの実施形態において、２以上の油相排出口は、沈殿タンク２１に異なるレベルで提供される。２つの油相排出口３９ａ、３９ｂは、任意であること示す点線の１つが、図１のシステムで示される。２つの油相排出口３９ａ、３９ｂは、沈殿タンクの異なるレベルで提供されたとき、油相は、２つの異なるレベルから、沈殿タンクから取り出されることができる。この実施形態において、油相排出口は、沈殿タンク２１の壁を通って提供されることが示される。別の選択肢は、タンクの上部から沈殿タンクの内側で下に向く１以上の吸引パイプとして油相排出口が提供されることである。動作可能／延長可能なパイプは、また、選択できる。これによって、油相排出口３９は、沈殿タンク２１の内側に任意の望ましいレベルで提供されることができる。沈殿タンク２１は、また、適切に底部３７の少なくとも１つのスラッジ除去排出口を備える。図１で示される実施形態において、沈殿タンク２１は、沈殿タンク２１の底部３７に異なるレベルで提供される２つのスラッジ除去排出口４１ａ、４１ｂを備える。２つのスラッジ除去排出口４１ａ、４１ｂは、両方ともスラッジタンク４３に接続される。タンクの異なるレベルで提供される２つのスラッジ除去排出口４１ａ、４１ｂの使用により、全スラッジ相を除去するため、またはスラッジ相の一部を取り除き、次の浄化サイクルの再使用のために沈殿タンク２１のスラッジ相のある量を格納することを選択できる便利な方法が可能である。スラッジ相の分離補助剤は、しばしばさらに浄化するために再使用でき、それは、経済的な理由に適している。タンクの最下点よりわずかに上のレベルに１つのスラッジ除去排出口４１ｂを設けることによって、使用者は、再使用のためにタンクで保持したいスラッジの部分を選択できる。例えば、スラッジの最も重い部分は、タンクに保持されつつ、スラッジの軽い部分は除去されることができる。スラッジの最も重い部分は、潜在的に再使用に最も適切な部分である。しかしながら、別の実施形態において１つのスラッジ除去排出口のみが提供される。
【００４３】
本発明によると、沈殿タンクから除去される油相の残る可能性がある不純物と分離補助剤が、フィルタモジュール５１によってろ過できるように、フィルタモジュール５１は、沈殿タンク２１の少なくとも１つの油相排出口３９ａ、３９ｂに接続される。フィルタモジュール５１は、油相排出口３９ａ、３９ｂ及び生産物タンク５３の間の流体接続４５に設けられる。これによって、生産物タンク５３は、フィルタモジュール５１でろ過された後、沈殿タンク２１から油相を受け入れる。油相の残る可能性のある全ての不純物と分離補助剤は、フィルタモジュール５１で保持されるであろう。本発明のこの実施形態において、加熱タンク４７は、また沈殿タンク２１の油相排出口３９とフィルタモジュール５１の間の流体接続４５に設けられる。加熱タンク４７は、本発明に必須ではないが、ろ過前に油相を加熱することは、ろ過効率を改善するであろう。流体接続４５は、さらに少なくとも１つのポンプ４９と、油相排出口３９ａ、３９ｂのそれぞれ１つの中に少なくとも１つのバルブ５０ａ、５０ｂを適切に備える。フィルタモジュール５１は、例えばデプスフィルタ、キャピラリフィルタ及び／または例えば紙に基づいた、異なるろ過グレードを有する標準フィルタ、及び／または水吸収フィルタを備えることができる。油は、フィルタを通るが、分離補助剤と不純物は、フィルタによって捕らえられるであろう。
【００４４】
デプスフィルタは、本発明によるろ過ステップに特に適している。デプスフィルタは、従来の薄層表面フィルタでのような表面でのみのろ過と比較して、フィルタ媒体のバルク構造内で不純物を保持するフィルタである。デプスろ過の利点は、より大きな総フィルタ質量による目詰まりなく汚れ保持容量が高いことである。フィルタ媒体としてセルロース繊維粉末を使うことにより、固体粒子とともにある極性液体分離補助剤と水の両方の吸収と除去ができる。ろ過率を減らすことにより、接触時間は長くなり、高分離効率が得られる。
【００４５】
本発明の１つの実施形態において、フィルタモジュール５１は、ろ過される沈殿タンク２１から受け入れられる浄化された油のそれぞれのバッチのために新しいデプスフィルタを提供するように構成される。これにより、新しい未使用のデプスフィルタが毎回用いられるという利点が提供される。デプスフィルタは、またマイクロメートルまたはそれより小さい大きさである、ここでマイクロ及びナノサイズの粒子と呼ばれる、非常に小さな粒子をろ過するために非常に効率的である。何回も工業油を再使用する場合、再使用のための油を浄化するとき、最も小さい粒子を取り除くことができることはさらに重要になる。さもなければ、最も小さい粒子の量が成長し、それらは、油が再使用のために浄化された回数が増えるほど油の問題を大きくする。場合によっては油相をそのままにし、場合によっては油からいくつかの不純物／汚染と結合される分離補助剤は、場合によってはデプスフィルタの上層で、デプスフィルタに吸収されるので、油の浄化のために本発明で使用されるような分離補助剤とデプスフィルタの使用の組み合わせは、油の最も小さい汚染粒子の除去に特に効果的である。デプスフィルタで吸収される分離補助剤自身は、油相のろ過の間、小さな不純物粒子さえ引きつけ結合する。これによって、デプスろ過は、油相から不純物をろ過し、分離補助剤は、またデプスフィルタに捕らえられ、デプスフィルタでろ過される、油相の最も小さい不純物粒子の捕獲に貢献するであろう。
【００４６】
本発明で使用されるデプスフィルタの１つの例は、浄化される油相のそれぞれのバッチのために作り上げられるデプスフィルタである。セルロース繊維粉末は、浄化される油相の第一のわずかな量に混合される。セルロース繊維粒子及び油相のこの混合は、その後、何回も、例えば使い捨てキャリアペーパまたは再使用可能なキャリア層材料など、キャリア層上を通る。これらのセルロース繊維で作り上げられる、フィルタケーキとも呼ばれる、デプスフィルタは、これによってキャリア層に作られる。デプスフィルタが作り上げられたとき、油相の残りは、デプスフィルタ上を通る。残った全ての分離補助剤は、デプスフィルタに捕らえられるであろう。さらに、油相の残った他の不純物は、デプスフィルタによって捕らえられ、さらに最も小さいマイクロ及びナノサイズの粒子は、デプスフィルタで吸収された分離補助剤の助けによって、上記説明されたように、高度に捕らえられるであろう。デプスフィルタを使って油相を押し通すことは、例えば、キャリア層の上から圧力または下から真空を供給することによってなど、異なる方法で提供される。油相の１つのバッチのろ過後、デプスフィルタは、廃棄でき、新しいものが、上記記載のように同じ手順で提供されることができる。デプスフィルタを作るためにセルロース繊維粉末を使うこのタイプのデプスフィルタは、非常にコスト効率型のろ過である。さらに、フィルタの厚さは、容易にフィルタを作るために加えるセルロース繊維粉末の量を変えることによって、時々に適応できるので、非常に柔軟なろ過方法である。例えば、浄化するための油相のそれぞれのバッチの間で時々にフィルタを変えることが非常に容易でもあり、フィルタのこの変更とフィルタを作るプロセスは、容易に自動化プロセスとして提供される。
【００４７】
試験は、上記のように分離補助剤を用いる浄化方法と組み合わせてデプスフィルタを用いたろ過の効果を測定するために実行された。これらの試験から、小さな大きさの粒子は、この方法によって非常に効果的に除去されることが明確である。詳細は、３つの実施例試験から以下に与えられる。
１．油圧式ペーパベールプレスマシンで用いられた、油圧鉱物油、Ｆｕｃｈｓ／Ｓｔａｔｏｉｌ  Ｈｙｄｒａｗａｙ  ＨＶＸＡ  ６８は、従来のＫＬＥＥＮＴＥＣ  Ｅｌｅｃｔｒｏｓｔａｔｉｃフィルタと本発明による方法の両方によって洗浄され、洗浄された油の粒子内容物は、粒子サイズが＞４μｍ／＞６μｍ／＞１４μｍである、ＩＳＯ−ｃｏｄｅ  ４４０６：９９によって測定された。従来の洗浄からの結果は、１８／１７／１３であり、本発明による洗浄の結果は、１４／１３／１０であった。
２．風力プラントギアボックスで用いられた、合成ギアボックス油、ＥｘｘｏｎＭｏｂｉｌ  ＭｏｂｉｌｅＧｅａｒＳＨＣ  ＸＭＰ３２０は、従来のＣ．Ｃ．ＪＥＮＳＥＮ  ＦＩＮＥ  Ｆｉｌｔｅｒ  ３μｍ／０．８μｍと本発明による方法の両方によって洗浄され、洗浄された油の粒子内容物は、粒子サイズ＞４μｍ／＞６μｍ／＞１４μｍである、ＩＳＯ−ｃｏｄｅ  ４４０６：９９によって測定された。従来の洗浄からの結果は、２０／１８／１３であり、本発明による洗浄からの結果は１３／１２／９であった。
３．シリンダホーニングプロセスで用いられた、鉱物金属切削油、Ｃａｓｔｒｏｌ  Ｈｏｎｉｌｏ  ９８１は、従来のＴＲＡＮＳＯＲＦＩＬＴＥＲ  Ｂａｃｋｆｌｕｓｈｅｄペーパフィルタロッド  １μｍと本発明による方法の両方によって洗浄され、洗浄された油の粒子内容物は、粒子サイズが＞４μｍ／＞６μｍ／＞１４μｍである、ＩＳＯ−ｃｏｄｅ４４０６：９９によって測定された。従来の洗浄からの結果は、２５／２９／１９であり、本発明による洗浄の結果は、１３／１１／９であった。
【００４８】
生産物タンク５３は、例えばレベルスイッチ７’、温度センサ９’及びレベルセンサ１１’などの供給タンク３と同様のセンサを備えることができる。しかしながら、これらのセンサは、本発明に必須ではない。沈殿タンク２１は、レベルスイッチ７’’及びレベルセンサ１１’’を備えることができる。
【００４９】
沈殿タンク２１は、さらにこの実施形態において、必須ではないが、沈殿タンク２１の少なくとも１つの位置で、油相またはスラッジ相の存在を検知するための少なくとも１つの内容物検知センサ５５を備える。内容物検知センサ５５は、例えばタンクのほとんど底までタンクの内側において、ぶら下がっている、タンクの上部に取り付けられた長いワイヤである、誘導波レーダであることができる。そのような誘導波レーダは、ワイヤが異なる環境で提供されるとき、異なる反射マイクロ波パルスを比較することによって、２つの相の界面が、配置されている情報を提供できる。図１に示される実施形態において、しかしながら３つの内容物検知センサ５５ａ、５５ｂ、５５ｃが提供される。それらは、沈殿タンク２１の内側の異なるレベルで提供され、１つの内容物検知センサ５５ａは、常にスラッジ相で提供されるような沈殿タンク内の位置において提供され、１つの内容物検知センサ５５ｂは、沈殿タンク内の油相排出口３９ａの１つと実質的に同じレベルで提供され、１つの内容物検知センサ５５ｃは、常に油相で提供されるような沈殿タンク１２１内の位置で提供される。これによって、油相排出口３９ａと実質的に同じレベルで提供される内容物検知センサ５５ｂからのセンサ出力は、内容物検知センサ５５ｂの位置に油相またはスラッジ相があるかどうかを知るために他の２つの内容物検知センサ５５ａ、５５ｃからの出力と比較することができる。しかしながら、油相排出口１３９ａ、ｂ、ｃと実質的に同じレベルにおいて、１つの内容物検知センサ１５５ａ、ｂ、ｃのみを提供することが図２で示される別の可能性であり、油相とスラッジ相で提供されたとき、そのようなセンサ出力におけるあらかじめ既知の値とセンサ出力を比較する。これらの内容物検知センサ５５ａ−ｃ、１５５ａ−ｃは、例えば、内容物の誘電特性または密度特性を測定することに基づく。
【００５０】
システム１の制御システム３１は、内容物検知センサ５５ａ−ｃによる前記検知に依存して、沈殿タンク２１から油相の取り出しを制御するために構成される。これによって、制御システムは、１つの内容物検知センサ／複数の内容物センサ５５、５５ａ、５５ｂ、５５ｃと、ポンプ４９と、場合によっては油相排出口３９と生産物タンク５３の間の流体接続４５のバルブと接続される。油相排出口３９ａと実質的に同じレベルで提供された内容物検知センサ５５ｂ（図２の１５５ａ−ｃ）が、最初にスラッジ相の存在を示すならば、本発明の１つの実施形態の制御システム３１は、はじめに少なくとも１つのスラッジ相排出口４１ａ、４１ｂの１つを使って沈殿タンク２１からスラッジを除去するようにシステムを制御しながら、同時に制御システムは、油相排出口３９ａと実質的に同じレベルにおいて提供される内容物検知センサ５５ｂからの出力をモニタする。スラッジは、その後センサ出力が変化し、油相が、油相排出口３９ａと実質的に同じレベルを提供することを示すまで、除去されるべきである。この時点で、スラッジ除去は、中断され、油相は、代わりに油相排出口３９ａを使って取り出される。適切に油相排出口３９ａは、まさに内容物検知センサ５５ｂ上に設けられ、これによって、スラッジ相が沈殿タンク２１から油相排出口３９ａを使って移されないことを確実にすることができる。
【００５１】
沈殿タンク２１は、さらにこの実施形態において少なくとも１つの温度センサ５７ａ、５７ｂを備える。図１の実施形態において、２つの温度センサ５７ａ、５７ｂは、沈殿タンク２１内の異なるレベルに配置されることが示される。しかしながら、別の数の温度センサは、同様に提供されることができる。制御システム３１は、沈殿タンク２１の温度センサ５７ａ、５７ｂ及び加熱装置３５の両方に接続され、これによって、加熱装置３５を制御し、少なくとも１つの温度センサ５７ａ、５７ｂによって測定された温度に依存して沈殿タンクの内容物を加熱できる。沈殿タンク２１の内側の異なるレベルで温度センサを提供することによって、タンク内容物の加熱は、最適化され、均一な温度が、タンクの全ての内容物に提供される。さらに、センサ出力は、測定された温度に依存して調整されることができる。
【００５２】
システム１に提供された制御システム３１は、適切にセンサ出力に依存してシステムの流れを制御するためのシステムの全てのポンプ、バルブ及びセンサに接続されることができる。制御システムは、供給タンク３から沈殿タンク２１へ移される、浄化される油の適切な体積を制御できる。さらに、制御システム３１は、沈殿タンク２１へ適切な量の分離補助剤を移すための分離補助剤投与装置１３を制御できる。分離補助剤の量は、例えば前の浄化サイクルのスラッジ相の一部が上記のように再使用のために沈殿タンク２１にそのままにされたかどうかに依存する。制御システム３１は、さらに油相が沈殿タンクから油相排出口３９を使って取り出される準備中であるとき、さらに制御できる。これは、あらかじめ決められた期間の後、または、１つの内容物検知センサ／複数の内容物検知センサ５５、５５ａ、５５ｂ、５５ｃが提供されるならばそのようなセンサからの、及び／または温度センサ５７ａ、５７ｂからのセンサ出力に依存してできる。さらに制御システム３１は、上記のように沈殿タンク２１からスラッジ相の除去を制御する。制御システムは、あらかじめ決められた設定、センサ信号及び場合によっては使用者の入力にも依存して、システムの流れを制御するために構成される。
【００５３】
コンピュータプログラム生産物は、さらに提供される。前記コンピュータプログラムは、浄化のためのシステム１の制御システム３１のプロセッサ３２で実行されるとき、制御システムに上記のようなシステムの流れを制御させる指示を含む。コンピュータプログラムは、制御システム３１のプロセッサ３２で実行されるとき、制御システムが次のことをシステムで制御させる指示を少なくとも備える。
−少なくとも１つの沈殿タンクに分離補助剤及び浄化される油を供給すること。
−沈殿タンクの底部にスラッジ相が沈殿するまで待つことであって、前記スラッジ相は、油からの不純物とともに分離補助剤を含む、待つこと。
−少なくとも１つの沈殿タンクから前記スラッジ相を含まない油相を取り出すこと。
−残っている可能性のある全ての分離補助剤と不純物を除去するために前記油相をろ過すること。
【００５４】
コンピュータプログラムは、任意に、制御システム３１のプロセッサ３２で実行されるとき制御システムに次をさせる指示も備える。
−沈殿タンクに供給されるとき油と分離補助剤を混合し、暖めること。及び／または、
−沈殿タンクの少なくとも１つの位置で沈殿タンクの内容物の温度を測定するようにシステムを制御すること及び前記測定された少なくとも１つの温度に依存して沈殿タンクの内容物を暖めることを制御すること。及び／または、
−ろ過するステップの前に加熱タンクで沈殿タンクから取り出された油相を暖めること。及び／または、
−タンクに提供された内容物検知センサによって沈殿タンクの少なくとも１つの位置で油相またはスラッジ相の存在を検知し、前記検知に依存して油相の除去を制御することであって、前記制御は、システムのセンサ、ポンプ及びバルブに接続された制御システムによって実行される、制御すること。及び／または、
−浄化される汚染された油の別のバッチが沈殿タンクに供給される前に、沈殿タンクからスラッジ相の少なくとも一部を除去すること。及び／または、
−浄化される油が沈殿タンクに供給される次の浄化サイクルの沈殿タンクで実行される、前の浄化サイクルの沈殿タンクの底部に沈殿されたスラッジ相の少なくとも一部を再使用し、それによりスラッジ相は、前の浄化サイクルから除去されたスラッジ相の除去された分離補助剤の量に対応する新しい分離補助剤の量とともに、場合によっては沈殿タンクに提供される混合装置によって新しく供給された油に混合される、再使用すること。
【００５５】
図２は、３つの平行な沈殿タンク１２１ａ、１２１ｂ、１２１ｃを備える、本発明の別の実施形態による油の浄化のためのシステム１０１を概略的に示す。平行タンクの数は、システムの望まれる容量に依存して変えることができ、例えば、２つ、４つ、５つまたはさらに多くの沈殿タンクがシステム１０１に提供される。沈殿タンク１２１ａ、１２１ｂ、１２１ｃは、ここで図１の沈殿タンク２１とほとんど同じに示され、詳細に記載されない。１つの差異は、この実施形態において、１つの内容物検知センサ１５５ａ、ｂ、ｃのみが、それぞれの沈殿タンク１２１ａ−ｃに提供されることである。上記のように、これは、センサ出力において比較する値は制御システム１３１に格納されていることを必要とする。これによって、タンクの内容物は、内容物検知センサ１５５ａ、ｂ、ｃからの出力から識別されることができる。しかしながら、２以上の内容物検知センサ、例えば３つの内容物検知センサは、図１に関する上記のように、沈殿タンク１２１ａ、１２１ｂ、１２１ｃのそれぞれ１つに提供されることができる。それぞれの沈殿タンクは、この実施形態において、１つのスラッジ相排出口１４１ａ、ｂ、ｃのみによって、スラッジタンク１４３ａ、１４３ｂ、１４３ｃに接続される。しかしながら、この実施形態においても、２つのスラッジ相排出口が、図１に関する上記のようにそれぞれの沈殿タンクに提供されることができる。供給タンク３、分離補助剤投与装置１３、フィルタモジュール５１及び生産物タンク５３は、図１に関して記載された実施形態と同じであり、ここではさらに記載しない。加熱タンク４７は、またこの実施形態において油相排出口とフィルタモジュール５１の間に提供されることができる。流体接続１２５は、供給タンク３とシステム１０１の沈殿タンク１２１ａ、１２１ｂ、１２１ｃのそれぞれの注入口１２３ａ、１２３ｂ、１２３ｃの外の枝状のものの間に提供される。ポンプ２７は、流体接続１２５に提供され、バルブ１２６ａ、１２６ｂ、１２６ｃは、沈殿タンク１２１ａ、１２１ｂ、１２１ｃのそれぞれ１つの流体を制御するために提供される。さらに流体接続１４５は、生産物タンク５３と沈殿タンク１２１ａ、１２１ｂ、１２１ｃの油相排出口１３９ａ、１３９ｂ、１３９ｃの間に提供され、すなわち、油相排出口１３９ａ、１３９ｂ、１３９ｃのそれぞれの１つに入る流体接続１４５の枝状のものがある。この実施形態において、１つの油相排出口のみが、沈殿タンクのそれぞれに提供される。しかしながら２以上の油相排出口を提供でき、それらは、沈殿タンクの壁を通ってまたは上記のようにタンクの上部からタンクを通って下を向く１以上の管として提供される。さらにポンプ４９は、流体接続１４５に提供され、１つのバルブ１５０ａ、１５０ｂ、１５０ｃは、沈殿タンク１２１ａ、１２１ｂ、１２１ｃの油相排出口１３９ａ、１３９ｂ、１３９ｃのそれぞれの１つと接続される。これによって、油相が制御システム１３１からポンプ及びバルブ１５０ａ、１５０ｂ、１５０ｃを制御することによって取り出される沈殿タンクを制御することができる。前の実施形態においてのように、フィルタモジュール５１は、油相排出口１３９ａ、１３９ｂ、１３９ｃと生産物タンク５３の間の流体接続１４５に提供される。
【００５６】
制御システム１３１は、システムに提供され、図１に記載される実施形態に関する上記のようなあらかじめ定義された設定、センサ出力及び場合によっては使用者の入力にも依存して、流体の流れを制御できるシステムのポンプ、バルブ及びセンサと接続される。全ての接続は、示されないが、有線でまたは無線で提供される。本発明のこの実施形態において、１つの沈殿タンクが、浄化される油を受け入れつつ、油相は、別の沈殿タンクから取り出され、場合によっては、沈殿プロセスが第３の沈殿タンクで起こるように、少なくとも２つの沈殿タンク１２１ａ、１２１ｂ、１２１ｃに浄化される油の供給と、少なくとも２つの沈殿タンク１２１ａ、１２１ｂ、１２１ｃからの油相の取り出しを制御するように、制御システム１３１は、さらに構成され、及び制御システムのプロセッサ１３２で実行したとき、制御システムにそのようにさせる指示を含むコンピュータプログラムを備える。これによって、浄化される油を、１つの沈殿タンクに供給しながら、浄化プロセスで前のサイクルで浄化される油が供給された別の沈殿タンクから、油相を取り出し及びろ過する。３つの沈殿タンクがシステムに提供されるならば、スラッジ相は、同時に浄化プロセスで前のサイクルで浄化される油がすでに供給された第３の沈殿タンクの底部に沈殿できる。
【００５７】
システムの制御システム１３１は、システムに出入りする油の連続流れが提供されるように循環する、システムに提供される少なくとも２つの沈殿タンクに浄化される油の供給と、少なくとも２つの沈殿タンクから浄化される油相を取り出すことを制御するように構成されることができる。これによって、システム１０１は、油の連続浄化のためのオンラインシステムとして用いられ、すなわち、浄化される油は、連続して供給タンク３に供給され、浄化された油は、連続して生産物タンク５３から回収され、システム１０１は、油が連続して用いられ、連続して浄化される必要がある、プロセスに接続されることができる。これによって、本発明による油の浄化のためのシステムに接続されたシステムの油のレベルは、油の浄化プロセスの間、一定のレベルに維持されることができる。
【００５８】
図３は、本発明の１つの実施形態による方法のフローチャートである。方法のステップは、以下に、順に記載される。
Ｓ１：少なくとも１つの沈殿タンク２１；１２１ａ、１２１ｂ、１２１ｃに分離補助剤と浄化される油を供給するステップ。
Ｓ３：沈殿タンク２１；１２１ａ、１２１ｂ、１２１ｃの底部３７にスラッジ相が沈殿することを待つステップであって、前記スラッジ相は、油からの不純物とともに分離補助剤を備える、待つステップ。
Ｓ５：少なくとも１つの沈殿タンク２１；１２１ａ、１２１ｂ、１２１ｃから前記スラッジ相を含まない油相を取り出すステップ。
Ｓ７：残る可能性がある全ての分離補助剤と不純物を除去するために前記油相をデプスフィルタでろ過するステップ。前記ろ過するステップは、少なくとも１つの沈殿タンク２１；１２１ａ、１２１ｂ、１２１ｃの少なくとも１つの油相排出口３９ａ、３９ｂ；１３９ａ、１３９ｂ、１３９ｃに接続されたフィルタモジュール５１で実行される。
【００５９】
本発明の方法は、また任意に次の１以上の方法ステップを備える。
−沈殿タンクに供給されたとき油と分離補助剤を混合し、暖めるステップ。
−沈殿タンクの少なくとも１つの位置で沈殿タンクの内容物の温度を測定し、前記測定された少なくとも１つの温度に依存して沈殿タンクの内容物を暖めるステップを制御するステップ。
−ろ過するステップの前に、加熱タンクで沈殿タンクから取り出された油相を暖めるステップ。
−沈殿タンクに提供される内容物検知センサ５５；５５ａ、５５ｂ、５５ｃによって、沈殿タンク２１；１２１ａ、１２１ｂ、１２１ｃの少なくとも１つの位置で油相またはスラッジ相の存在を検知するステップと、前記検知に依存して油相の取り出しを制御するステップであって、前記制御するステップは、システムのセンサ、ポンプ及びバルブに接続された制御システム３１；１３１によって実行される、制御するステップ。
−浄化される汚染された油の別のバッチが沈殿タンクに供給される前に、沈殿タンクからスラッジ相の少なくとも一部を除去するステップ。及び／または、
−浄化される油が沈殿タンクに供給される次の浄化サイクルの沈殿タンクで実行される、前の浄化サイクルの沈殿タンクの底部に沈殿されるスラッジ相の少なくとも一部を再使用するステップであって、それによってスラッジ相は、前の浄化サイクルから除去されたスラッジ相の除去された分離補助剤の量に対応する新しい分離補助剤の量とともに、場合によっては沈殿タンクに提供される混合装置によって、新しく供給された油に混合される、再使用するステップ。
【００６０】
本発明の１つの実施形態において、前記ろ過するステップは前記油相の一部にセルロース繊維粉末を加えることによって及びデプスフィルタを作り上げるためのキャリア層上で前記油相の前記一部を循環することによって実行され、油相の残った部分は、デプスフィルタでろ過される。
【００６１】
本発明の１つの実施形態において、本発明の方法はさらに、少なくとも１つのスラッジ相排出口４１ａ、ｂ；１４１ａ−ｃを使って、沈殿タンク２１；１２１ａ−ｃからスラッジ相の除去を制御しながら、沈殿タンク２１；１２１ａ−ｃの油相排出口３９ａ；１３９ａ−ｃと実質的に同じレベルで提供される内容物検知センサ５５ｂ；１５５ａ−ｃからの出力をモニタするステップと、前のスラッジ相の代わりに油相が油相排出口３９ａ；１３９ａ−ｃのレベルに供給されたことをセンサ５５ｂ；１５５ａ−ｃからの出力が示すとき、スラッジ相の除去を止めるステップと、を備える。スラッジ除去は、その後一時的に停止されつつ、代わりに油相が油相排出口３９ａ；１３９ａ−ｃを使って沈殿タンク２１；１２１ａ−ｃから取り出される。油相が取り出された後、さらなるスラッジ相が除去される。これによって、センサ出力をモニタしながらスラッジ相を除去することによって、油相とスラッジ相の界面のレベルは、油相の取り出しが始まる前に、油相排出口と同じレベルで提供されるように制御される。これによって、実質的に全油相は、便利な方法で、進行した沈殿タンクから取り出され、油の廃棄は非常に少ない。適切に、油相排出口３９ａ；１３９ａ−ｃは、ちょうど内容物検知センサ５５ｂ；１５５ａ−ｃの上に提供される。
【００６２】
本発明の１つの実施形態において、本発明の方法はさらに、１つの沈殿タンク１２１ａ、１２１ｂ、１２１ｃに浄化される油を供給しつつ、浄化プロセスの前のサイクルで浄化される油が供給された別の沈殿タンク１２１ａ、１２１ｂ、１２１ｃから油相を取り出し、ろ過しつつ、場合によっては、浄化プロセスの前のサイクルで浄化される油がすでに供給されていた第３の沈殿タンク１２１ａ、１２１ｂ、１２１ｃの底部にスラッジ相が沈殿するステップを備える。上記のように、連続油浄化プロセスはこれによって達成される。
【図１】
2020517802.tif 000003
【図２】
2020517802.tif 000004
【図３】
2020517802.tif 000005
【国際調査報告】
2020517802.tif 000006
2020517802.tif 000007
2020517802.tif 000008